(57)【特許請求の範囲】
【請求項１】
入力信号としてカラー画像を表わす３つの色信号を入力して、該入力信号に信号処理を施すことにより、画像表示装置において表示される前記カラー画像の色を補正する色補正回路であって、
前記入力信号としての３つの色信号の各々を上位ビット部分と下位ビット部分とに分け、前記色信号毎の上位ビット部分の組み合わせに対応する補正用の基準データを得る基準データ取得部と、
前記色信号毎の前記下位ビット部分に基づいて前記基準データに補間演算を施すことにより色補正済の出力信号を生成する補間演算部と
を備え、さらに、
前記入力信号としての３つの色信号の各々を前記基準データ取得部と同一のビット幅の上位ビット部分と下位ビット部分に分け、前記下位ビット部分を値０に置換し、該置換後の３つの色の信号の集合をオフデータとして出力するオフデータ生成部と、
前記色の補正を禁止する補正禁止指令を外部から受けたときに、前記補間演算部の補間対象を、前記基準データから前記オフデータに切り換える補間対象切換部と
を備える色補正回路。
【請求項２】
前記３つの色信号は、赤色信号、緑色信号および青色信号である請求項１に記載の色補正回路。
【請求項３】
請求項１または２に記載の色補正回路において、
前記基準データ取得手段は、
前記入力信号としての３つの色信号の各々の前記上位ビット部分の組みをアドレス信号として入力したときに、前記色信号毎の上位ビット部分の組み合わせに対応する補正用の基準データを出力する３次元ルックアップテーブル
を備える色補正回路。
【請求項４】
請求項３に記載の色補正回路において、
前記３次元ルックアップテーブルは、
前記３つの色に従う色空間を格子状に分割して形成される格子点上の点についての前記補正用の基準データを格納するもので、前記格子点により形成される単位立方体を複数個の４面体に分割し、前記上位ビット部分の階調値に対応する点を含む４面体の各頂点における前記基準データを出力するものであり、
前記補間演算部は、
前記３次元ルックアップテーブルから出力された補正用の基準データから、前記下位ビット部分の階調に対応する色補正済みデータを、リニアに補間して求める構成である
色補正回路。
【請求項５】
請求項１ないし４のいずれかに記載の色補正回路において、
前記補間対象切換部は、
前記基準データ取得部の出力信号と前記オフデータ生成部の出力信号とを共に入力すると共に、前記補正禁止指令を外部から入力し、該補正禁止指令が入力されたときに、前記オフデータ生成部の出力信号を前記補間演算部に出力し、該補正禁止指令が入力されないときに、前記基準データ取得部の出力信号を前記補間演算部に出力する信号切換回路
を備える色補正回路。
【請求項６】
請求項１ないし５のいずれかに記載の色補正回路を備えたことを特徴とする画像表示装置。
【発明の詳細な説明】
【技術分野】
【０００１】
本発明は、液晶プロジェクタなどの画像表示装置において表示されるカラー画像の色を補正する技術に関するものである。
【背景技術】
【０００２】
従来、画像表示装置の１つである液晶プロジェクタでは、入力信号に応じた画像の正確な色再現を行うために、３次元ルックアップテーブル（以下、「３Ｄ−ＬＵＴ」とも呼ぶ。）による色補正回路を備えたものがある（例えば、特許文献１〜４参照）。入力信号としてのＲ，Ｇ，Ｂ信号は、通常、８ビット以上の階調データ、すなわち、２５６階調以上の階調値で表現されることから、３Ｄ−ＬＵＴには、Ｒ，Ｇ，Ｂ信号の階調の全ての組合せに対応して、（２５６×２５６×２５６）以上の補正値を記憶することが要求される。このために、３Ｄ−ＬＵＴは非常に大きなメモリ容量が必要となる。
【０００３】
そこで、３Ｄ−ＬＵＴを実際に構成する場合には、入力されるＲ，Ｇ，Ｂ信号の階調の全ての組合せではなく、Ｒ，Ｇ，Ｂ信号それぞれの階調を適当な間隔で分割した粗い階調の組合せ、例えば、上位３ビット〜４ビットのＲ，Ｇ，Ｂ信号の階調の組合せに対して、それぞれ対応する補正値を記憶する構成とし、必要なメモリ容量を削減する構成としている。その上で、上記の上位３ビット〜４ビットを除いた下位ビットに基づいて、上記３Ｄ−ＬＵＴから得られた補正値に補間演算を施す構成としている（例えば、特許文献５参照）。
【０００４】
【特許文献１】特開平２００２−４１０１６号公報
【特許文献２】特開平２００２−１４００６０号公報
【特許文献３】特開平２００２−３４４７６１号公報
【特許文献４】特開平２００３−２７１１２２号公報
【特許文献５】特公昭５８−１６１８０号公報
【０００５】
ところで、上記構成の色補正回路を備える画像表示装置では、色補正回路の機能をオフしたいときがある。この場合、３Ｄ−ＬＵＴの内容をソフトウェアによって書き換えることで対応できるが、その書き換えにはかなりの時間がかかるので瞬時にオフすることができず、出力される映像にノイズが乗ってしまう。そこで、機能をオフする仕組みを色補正回路にハードウェア的に搭載することになるが、考えられる仕組みは次の２つがある。
【０００６】
図４は、色補正回路の機能をオフする仕組みを搭載した第１参考例を示す説明図である。図示するように、入力信号Ｓ１としてのＲ，Ｇ，Ｂ信号は色補正回路Ａ１に入力され、色補正回路Ａ１で色の補正がなされる。色補正回路Ａ１からの出力信号Ｓ２は、画像信号切換回路Ａ２を介して、液晶パネル等の表示デバイスに送られる。画像信号切換回路Ａ２には、色補正回路Ａ１の出力信号Ｓ２の他に、色補正回路Ａ１に入力する前の入力信号Ｓ１が入力されている。画像信号切換回路Ａ２は、外部から補正禁止信号を受けたときに、出力する信号を上記出力信号Ｓ２から入力信号Ｓ１に切り換える。こうした構成の色補正回路によれば、画像信号切換回路Ａ２に補正禁止信号を出力することで、入力信号Ｓ１をそのまま出力することができる。
【０００７】
上記の第１参考例では、回路規模は小さくて済むが、色補正回路Ａ１側の経路（以下、「第１の経路」と呼ぶ）と何も介在していない経路（以下、「第２の経路」と呼ぶ）との間で伝送タイミングに狂いが生じ、表示される映像が左右にずれてしまうといった弊害が生じた。
【０００８】
図５は、上記の弊害を防ぐことのできる第２参考例を示す説明図である。この回路は、第２の経路に遅延回路Ａ３を設けた構成である。遅延回路Ａ３によって、第１の経路と第２の経路の間の伝送タイミングを合わすことができる。しかしながら、前記第２参考例では、色補正回路Ａ１が大型化する問題があった。色補正回路Ａ１は、前述したように内部に補間演算回路を備えているために、伝送の遅延量は大きく、遅延回路Ａ３の規模が大きくなってしまうためである。
【発明の開示】
【発明が解決しようとする課題】
【０００９】
本発明の解決しようとする課題は、色補正の機能をオフ可能としながらも、回路規模の小型化と、伝送タイミングの狂いから生じる画像表示の乱れの防止との両立を図ることにある。
【課題を解決するための手段】
【００１０】
前述した課題の少なくとも一部を解決するための手段として、以下に示す構成をとった。
【００１１】
本発明の色補正回路は、
入力信号としてカラー画像を表わす３つの色信号を入力して、該入力信号に信号処理を施すことにより、画像表示装置において表示される前記カラー画像の色を補正する色補正回路であって、
前記入力信号としての３つの色信号の各々を上位ビット部分と下位ビット部分とに分け、前記色信号毎の上位ビット部分の組み合わせに対応する補正用の基準データを得る基準データ取得部と、
前記色信号毎の前記下位ビット部分に基づいて前記基準データに補間演算を施すことにより色補正済の出力信号を生成する補間演算部と
を備え、さらに、
前記入力信号としての３つの色信号の各々を前記基準データ取得部と同一のビット幅の上位ビット部分と下位ビット部分に分け、前記下位ビット部分を値０に置換し、該置換後の３つの色の信号の集合をオフデータとして出力するオフデータ生成部と、
前記色の補正を禁止する補正禁止指令を外部から受けたときに、前記補間演算部の補間対象を、前記基準データから前記オフデータに切り換える補間対象切換部と
を備えることを要旨としている。
【００１２】
前記構成の色補正回路によれば、入力信号としてカラー画像を表わす３つの色信号を入力して、基準データ取得部により、前記色信号毎の上位ビット部分の組み合わせに対応する補正用の基準データを得て、その基準データに対して補間演算部により前記色信号毎の下位ビット部分に基づいて補間演算を施すことで色補正済の出力信号を生成する。さらに、オフデータ生成部により、前記入力信号としての３つの色信号の各々の前記下位ビット部分を値０に置換し、該置換後の３つの色の信号の集合をオフデータとして出力するが、前記色の補正を禁止する補正禁止指令を外部から受けたときには、前記補間演算部の補間対象を、前記基準データから前記オフデータに切り換える。
【００１３】
前記オフデータは、前記３つの色信号の各々と同じビット幅で、その上位ビット部分（基準データを得る際に用いた上位ビット部分と同じビット幅）は色信号の上位ビット部分と同じ値で、下位ビット部分（基準データを得る際に用いた下位ビット部分と同じビット幅）は値０であるデータである。したがって、このオフデータに対して前記３つの色信号の各々についての前記下位ビット部分に基づく補間演算が施されることになることから、結局、補間演算部からの出力される前記３つの色信号は、色補正回路に入力される色信号と同一のものとなる。すなわち、色補正回路は、色補正の機能を停止して、入力された３つの色信号をそのまま出力信号として出力する。
【００１４】
したがって、本発明の色補正回路によれば、補正禁止指令に従って色補正の機能を容易にオフすることができる。しかも、信号の伝送に最も時間を要する補間演算回路は色補正の機能をオフさせるときも動作することから、色補正の機能をオンさせたときとオフさせたときとで伝送タイミングがずれることがない。このため、伝送タイミングの狂いから生じる画像表示の乱れを防止することができる。また、オフデータ生成回路は簡単な回路構成であることから、色補正回路の回路規模を大型化させることもない。すなわち、本発明の色補正回路は、色補正の機能をオフ可能としながらも、回路規模の小型化と、伝送タイミングの狂いから生じる画像表示の乱れの防止との両立を図ることができる。
【００１５】
前記３つの色信号は、赤色信号、緑色信号および青色信号とすることができる。この構成によれば、汎用性のあるＲ，Ｇ，Ｂ信号を入力信号として、色補正を行なうことができる。
【００１６】
前記基準データ取得手段は、前記入力信号としての３つの色信号の各々の前記上位ビット部分の組みをアドレス信号として入力したときに、前記色信号毎の上位ビット部分の組み合わせに対応する補正用の基準データを出力する３次元ルックアップテーブルを備える構成とすることができる。
【００１７】
この構成によれば、メモリ回路に３次元ルックアップテーブルを予め記憶させておくだけでよいから、構成が簡単にすむ。
【００１８】
前記３次元ルックアップテーブルは、前記３つの色に従う色空間を格子状に分割して形成される格子点上の点についての前記補正用の基準データを格納するもので、前記格子点により形成される単位立方体を複数個の４面体に分割し、前記上位ビット部分の階調値に対応する点を含む４面体の各頂点における前記基準データを出力するものとし、前記補間演算部は、前記３次元ルックアップテーブルから出力された補正用の基準データから、前記下位ビット部分の階調に対応する色補正済みデータを、リニアに補間して求める構成とすることもできる。
【００１９】
この構成によれば、補間演算部において簡単な計算式で滑らかな補間が可能となり、しかもリニアな補間であることから、色補正回路の出力信号を確実に入力信号と一致させることができる。
【００２０】
前記補間対象切換部は、前記基準データ取得部の出力信号と前記オフデータ生成部の出力信号とを共に入力すると共に、前記補正禁止指令を外部から入力し、該補正禁止指令が入力されたときに、前記オフデータ生成部の出力信号を前記補間演算部に出力し、該補正禁止指令が入力されないときに、前記基準データ取得部の出力信号を前記補間演算部に出力する信号切換回路を備える構成としてもよい。
【００２１】
この構成によれば、色補正回路の機能を簡単な構成でオン、オフさせることができる。
【００２２】
なお、本発明は、上記した色補正回路としての態様に限るものではなく、それを備えた画像表示装置としての態様で実現することも可能である。
【発明を実施するための最良の形態】
【００２３】
以下、本発明の実施の形態を実施例に基づいて以下の順序で説明する。
Ａ．液晶プロジェクタの概略構成：
Ｂ．色補正回路：
Ｃ．作用・効果
Ｄ．他の実施形態：
【００２４】
Ａ．液晶プロジェクタの概略構成：
図１は、本発明の一実施例としての色補正回路が適用される液晶プロジェクタの概略的な構成を示すブロック図である。図１に示す液晶プロジェクタ５００は、いわゆる３板式であって、表示デバイスとして、Ｒ（赤），Ｇ（緑），Ｂ（青）にそれぞれ対応する３つの液晶パネル（以下、「ＬＣＤ」とも呼ぶ。）４１０〜４３０を有している。その他、液晶プロジェクタ５００は、入力信号処理回路２００と、本発明の色補正回路１００と、Ｒ，Ｇ，Ｂ用のＶＴ特性補正回路３１０〜３３０とを備えている。
【００２５】
外部から画像信号としてＲ，Ｇ，Ｂ信号Ｒ１，Ｇ１，Ｂ１が入力されると、入力信号処理回路２００は、これらの信号がアナログ信号である場合には、アナログ／デジタル変換を行ったり、これらの信号の信号形式に応じて、フレームレート変換やリサイズ処理を行ったり、あるいは、メニュー表示を行う場合は、メニュー画面を重畳したりする。なお、入力された画像信号がコンポジット信号である場合には、そのコンポジット信号を復調すると共に、Ｒ，Ｇ，Ｂ信号および同期信号に分離する処理などを行う。
【００２６】
次に、色補正回路１００は、入力信号処理回路２００から出力されたデジタルのＲ，Ｇ，Ｂ信号Ｒ２，Ｇ２，Ｂ２に対して補正を施すことにより、液晶パネル４１０〜４３０から射出し、混合して得られる透過光（色光）の色を補正する。なお、Ｒ，Ｇ，Ｂ信号Ｒ２，Ｇ２，Ｂ２のビット数ｋはｋ≧８であり、ここでは例えばｋ＝８とする。また、色補正回路１００には、外部から補正禁止信号Ｆが入力されており、色補正回路１００は、補正禁止信号Ｆが“１”となったときに、色補正の機能を停止する構成となっている。補正禁止信号Ｆは、画像信号の送り手側である例えばコンピュータが色変調の特性を変えたいような場合等において、その送り手側から送られてくる信号である。なお、補正禁止信号Ｆは液晶プロジェクタ５００で発生する構成に換えることもできる。例えば、液晶プロジェクタ５００に設けられたスイッチにより色変調の特性を変えることができるような場合に、そのスイッチが操作者により操作されることで液晶プロジェクタ５００の内部で補正禁止信号Ｆを発生して、その補正禁止信号Ｆを色補正回路１００に入力する場合が該当する。すなわち、本発明における「補正禁止指令」は、色補正回路１００の外部から受けるものであれば、液晶プロジェクタ５００の内外のいずれで発生するものであってもよい。
【００２７】
続いて、Ｒ，Ｇ，Ｂ用のＶＴ特性補正回路３１０〜３３０は、それぞれ、色補正回路１００から出力されたＲ，Ｇ，Ｂ信号Ｒ３，Ｇ３，Ｂ３に対して、Ｒ，Ｇ，Ｂ用の液晶パネル４１０〜４３０のＶＴ特性（電圧−透過率特性）を考慮したγ補正を施す。なお、Ｒ，Ｇ，Ｂ用のＶＴ特性補正回路３１０〜３３０は、通常、１次元ルックアップテーブル（以下、１Ｄ−ＬＵＴとも呼ぶ。）により構成される。
【００２８】
一方、Ｒ，Ｇ，Ｂ用の液晶パネル４１０〜４３０は、ＶＴ特性補正回路３１０〜３３０から出力されたＲ，Ｇ，Ｂ信号Ｒ４，Ｇ４，Ｂ４を入力し、それら信号に基づいて、Ｒ，Ｇ，Ｂの透過光（色光）を射出する。具体的には、照明光学系（図示せず）から射出された照明光をＲ，Ｇ，Ｂの色光に分離した後、それぞれ、対応する色の液晶パネル４１０〜４３０に入射させると共に、ＶＴ特性補正回路３１０〜３３０からのＲ，Ｇ，Ｂ信号Ｒ４，Ｇ４，Ｂ４も、それぞれ、対応する色の液晶パネル４１０〜４３０に入力させる。そして、入力した色信号に応じて、その液晶パネルを駆動して、入射した色光を透過させる。
【００２９】
このようにしてＲ，Ｇ，Ｂ用の液晶パネル４１０〜４３０から射出したＲ，Ｇ，Ｂの透過光（色光）は、混合された後、投写光学系（図示せず）によって、スクリーン（図示せず）に投写され、スクリーン上にＲ，Ｇ，Ｂ信号に応じたカラー画像が表示される。
【００３０】
Ｂ．色補正回路：
図２は、色補正回路１００を具体的に示すブロック図である。この色補正回路１００は、図２に示すように、３Ｄ−ＬＵＴ１１０と、オフデータ生成回路１２０と、画像信号切換回路１３０と、補間演算回路１４０とを備えている。入力信号処理回路２００から出力されたデジタルのＲ，Ｇ，Ｂ信号Ｒ２，Ｇ２，Ｂ２は、３Ｄ−ＬＵＴ１１０とオフデータ生成回路１２０に入力される。
【００３１】
３Ｄ−ＬＵＴ１１０は、Ｒ，Ｇ，Ｂ信号Ｒ２，Ｇ２，Ｂ２毎の上位ｎビット（ｎは１以上、ｋ−１以下の整数）の組み合わせにそれぞれ対応する補正値として、ｋビットのＲ信号基準データＳｒと、ｋビットのＧ信号基準データＳｇと、ｋビットのＢ信号基準データＳｂとを記憶するメモリ回路である。３Ｄ−ＬＵＴ１１０は、入力されるＲ，Ｇ，Ｂ信号Ｒ２，Ｇ２，Ｂ２の各々から上位ｎビットを抽出して、それら３つの上位ｎビットの組合せに応じて、上記の（３×ｋ）ビットの基準データＳｒ，Ｓｇ，Ｓｂを出力する。なお、このようなメモリ回路は、（ｎ＋ｎ＋ｎ）ビットのアドレスを有するＲＡＭを用いて、（ｎ＋ｎ＋ｎ）ビットのアドレスを、上位ビットから順に、Ｒ信号Ｒ２の上位ｎビット、Ｇ信号Ｇ２の上位ｎビット、Ｂ信号Ｂ２の上位ｎビットに割り当てるとともに、（３×ｋ）ビットの出力を、例えば、最上位ビットからｋビットごとに、Ｒ信号基準データＳｒ、Ｇ信号基準データＳｇおよびＢ信号基準データＳｂとの出力に割り当てることにより、実現できる。
【００３２】
上記構成の３Ｄ−ＬＵＴ１１０によれば、Ｒ，Ｇ，Ｂの３つの色に従う色空間を格子状に分割して形成される各格子点についての補正値が表わされることになる。この構成によれば、Ｒ，Ｇ，Ｂ信号それぞれの階調を適当な間隔で分割した粗い階調の組合せに対応した補正値を、前述したＲ信号基準データＳｒ、Ｇ信号基準データＳｇおよびＢ信号基準データＳｂの形で出力することができる。
【００３３】
なお、Ｒ，Ｇ，Ｂ信号Ｒ２，Ｇ２，Ｂ２の各々についての上位ｎビットが、本発明でいう「上位ビット部分」に相当する。ここでは、例えばｎ＝３であるとすると、３Ｄ−ＬＵＴ１１０は、ｎ＋ｎ＋ｎ＝９のアドレスを有するＲＡＭを用いたものとなる。例えば、Ｒ，Ｇ，Ｂ信号Ｒ２，Ｇ２，Ｂ２が、Ｒ２＝“００１０００１０”、Ｇ２＝“００００００００”、Ｂ２＝“００００００００”のデジタル信号である場合、各々の上位ｎビットは“００１”、“０００”、“０００”であるから、メモリ回路における“００１０００００”のアドレスに格納された（３×ｋ）ビットの補正値、例えば、Ｒ信号基準データＳｒ＝“００１０１０００”、Ｇ信号基準データＳｇ＝“００００００００”、Ｂ信号基準データＳｂ＝“００００００００”の各信号を出力する。
【００３４】
３Ｄ−ＬＵＴ１１０の出力信号は、画像信号切換回路１３０に送られ、画像信号切換回路１３０でこの３Ｄ−ＬＵＴ１１０からの出力信号が選択された場合に、補間演算回路１４０に送られる。
【００３５】
補間演算回路１４０には、また、入力信号処理回路２００から出力されたＲ，Ｇ，Ｂ信号Ｒ２，Ｇ２，Ｂ２の各々が入力されている。補間演算回路１４０では、３Ｄ−ＬＵＴ１１０から画像信号切換回路１３０を介して送られてきた各色の基準データＳｒ，Ｓｇ，Ｓｂに対して補間演算が施される。この補間演算は、上記入力されたＲ，Ｇ，Ｂ信号Ｒ２，Ｇ２，Ｂ２の各々についての上位ｎビットを除いた下位（ｋ−ｎ）ビットに基づくものである。この結果、Ｒ，Ｇ，Ｂ信号Ｒ２，Ｇ２，Ｂ２の各々に対して色補正を施した色補正済のＲ，Ｇ，Ｂ信号Ｒ３，Ｇ３，Ｂ３が出力される。
【００３６】
なお、この補間演算回路１４０における補間演算アルゴリズムとしては、例えば、先に掲げた特公昭５８−１６１８０号公報に開示されたアルゴリズムを採用することができる。すなわち、３Ｄ−ＬＵＴ１１０は、色空間において定められた格子点により形成される単位立方体を複数個の４面体に分割し、Ｒ，Ｇ，Ｂ信号Ｒ２，Ｇ２，Ｂ２毎の上位ｎビットの組み合わせに対応する１点を含む４面体における各頂点を特定して、各頂点に対応する基準データを出力する構成として、補間演算回路１４０は、３Ｄ−ＬＵＴ１１０から出力された基準データから、下位（ｋ−ｎ）ビットの階調に対応する色補正済みデータを、リニアに補間して求める。詳細には、下位（ｋ−ｎ）ビットから定まる補間したい点がどの４面体に含まれるかを判別した後、この判別された４面体の各頂点に位置する基準データから下位（ｋ−ｎ）ビットに対応する色補正済みデータを、リニアに補間して求める。
【００３７】
なお、補間演算回路１４０における補間演算アルゴリズムは上記のものに限定される必要はなく、他の補間演算アルゴリズムに換えることができる。要は、リニアに補間を行なうものであれば、いずれの補間演算アルゴリズムであってもよい。なお、Ｒ，Ｇ，Ｂ信号Ｒ２，Ｇ２，Ｂ２の各々についての下位（ｋ−ｎ）ビットが、本発明でいう「下位ビット部分」に相当する。
【００３８】
オフデータ生成回路１２０は、３Ｄ−ＬＵＴ１１０と並列に設けられており、前述したように、入力信号処理回路２００から出力されたＲ，Ｇ，Ｂ信号Ｒ２，Ｇ２，Ｂ２が入力される。オフデータ生成回路１２０は、入力されたＲ，Ｇ，Ｂ信号Ｒ２，Ｇ２，Ｂ２の各々における下位（ｋ−ｎ）ビットを値０に置換して、その置換後の３つのＲ，Ｇ，Ｂ信号をオフデータＯｒ，Ｏｇ，Ｏｂとして出力する回路である。なお、ここでいう下位（ｋ−ｎ）ビットは、補間演算回路１４０において利用する下位（ｋ−ｎ）ビットと同一のビット位置である。
【００３９】
図３は、上記のように生成されたＲ信号に対応したオフデータＯｒを示す説明図である。図示するように、オフデータＯｒは、Ｒ，Ｇ，Ｂ信号Ｒ２，Ｇ２，Ｂ２と同じｋビット幅である。そして、その上位ｎビット部分ｐ１はＲ信号Ｒ２の上位ｎビットと同じ値となっており、下位（ｋ−ｎ）ビット部分は値０となっている。Ｇ信号、Ｂ信号に対応したオフデータＯｇ，Ｏｂも、同様に、ｋビット幅で、上位ｎビット部分はＧ信号Ｇ２もしくはＢ信号Ｂ２の上位ｎビットと同じ値となっており、下位（ｋ−ｎ）ビット部分は値０となっている。
【００４０】
すなわち、上記構成のオフデータ生成回路１２０によれば、３Ｄ−ＬＵＴを仮に入力と出力が同一となるようにメモリ内容を書き換えたとすると、その書き換えた３Ｄ−ＬＵＴと同様な出力が得られることになる。オフデータ生成回路１２０の出力信号は、画像信号切換回路１３０に送られ、画像信号切換回路１３０でこのオフデータ生成回路１２０からの出力信号が選択された場合に、補間演算回路１４０に送られる。
【００４１】
画像信号切換回路１３０は、外部から送られてくる補正禁止信号Ｆに従って、３Ｄ−ＬＵＴ１１０から入力された基準データＳｒ，Ｓｇ，Ｓｂと、オフデータ生成回路１２０から入力されたオフデータＯｒ，Ｏｇ，Ｏｂとの間で択一的に選択して出力する。すなわち、画像信号切換回路Ａ２は、補正禁止信号Ｆが“０”であるときには、３Ｄ−ＬＵＴ１１０から入力された基準データＳｒ，Ｓｇ，Ｓｂを出力し、補正禁止信号Ｆが“１”であるときには、オフデータ生成回路１２０から入力されたオフデータＯｒ，Ｏｇ，Ｏｂを出力する。
【００４２】
基準データＳｒ，Ｓｇ，Ｓｂが入力されたときの補間演算回路１４０の信号処理は前述したとおりである。一方、補間演算回路１４０にオフデータＯｒ，Ｏｇ，Ｏｂが入力されたときには、オフデータＯｒ，Ｏｇ，Ｏｂに対してＲ，Ｇ，Ｂ信号Ｒ２，Ｇ２，Ｂ２の各々についての下位（ｋ−ｎ）ビットに基づく補間演算が施されることになる。オフデータＯｒ，Ｏｇ，Ｏｂは、前述したように３Ｄ−ＬＵＴを入力と出力が同一となるようにメモリ内容を書き換えたときの出力であり、その出力に対してＲ，Ｇ，Ｂ信号Ｒ２，Ｇ２，Ｂ２の各々についての下位（ｋ−ｎ）ビットに基づくリニアな補間演算が施されることになることから、結局、補間演算回路１４０から出力されるＲ，Ｇ，Ｂ信号Ｒ３，Ｇ３，Ｂ３は、入力信号処理回路２００からこの色補正回路１００に入力されたＲ，Ｇ，Ｂ信号Ｒ２，Ｇ２，Ｂ２と同一のものとなる。すなわち、色補正回路１００は、色補正の機能を停止して、入力されたＲ，Ｇ，Ｂ信号Ｒ２，Ｇ２，Ｂ２をそのままＲ，Ｇ，Ｂ信号Ｒ３，Ｇ３，Ｂ３として出力する。
【００４３】
Ｃ．作用・効果
【００４４】
したがって、本発明の色補正回路１００によれば、補正禁止信号Ｆに従って色補正の機能を容易にオン、オフすることができる。しかも、信号の伝送に最も時間を要する補間演算回路１４０は色補正の機能をオフさせるときも動作することから、色補正の機能をオンさせたときとオフさせたときとで伝送タイミングがずれることがない。このため、伝送タイミングの狂いから生じる画像表示の乱れを防止することができる。また、オフデータ生成回路１２０は簡単な回路構成であることから、色補正回路１００の回路規模を大型化させることもない。
【００４５】
Ｄ．他の実施形態：
なお、本発明は上記した実施例や実施形態に限られるものではなく、その要旨を逸脱しない範囲において種々の態様にて実施することが可能である。
【００４６】
（１）変形例１：
上記実施例において、３Ｄ−ＬＵＴ１１０は、Ｒ，Ｇ，Ｂ信号の上位ビット部分の組合せに応じた補正値として、それぞれに対応する、Ｒ，Ｇ，Ｂ信号と同じビット幅の基準データＳｒ，Ｓｇ，Ｓｂを記憶する構成を例に説明している。しかしながら、これに限定されるものではなく、Ｒ，Ｇ，Ｂ信号の上位ビット部分のそれぞれに対するオフセット値として、後ほど加算回路でこのオフセット値を足し込む構成としてもよい。この構成によれば、３Ｄ−ＬＵＴとその加算回路とにより、本発明における「基準データ取得部」が構成されることになる。この構成によれば、３Ｄ−ＬＵＴを構成するメモリ容量を小さくすることが可能である。なお、「基準データ取得部」は、必ずしも３Ｄ−ＬＵＴにより構成する必要はなく、メモリ回路を使うことなく演算回路によって、Ｒ，Ｇ，Ｂ信号毎の上位ビット部分の組み合わせに対応する補正用の基準データを得る構成としてもよい。
【００４７】
（２）変形例２：
上記実施例において、オフデータ生成回路１２０は、Ｒ，Ｇ，Ｂ信号Ｒ２，Ｇ２，Ｂ２を入力して、Ｒ，Ｇ，Ｂ信号Ｒ２，Ｇ２，Ｂ２の各々における下位（ｋ−ｎ）ビットを値０に置換して、その置換後の３つのＲ，Ｇ，Ｂ信号をオフデータＯｒ，Ｏｇ，Ｏｂとして出力する回路である。しかしながら、オフデータ生成回路１２０は、この手法にてオフデータを生成するものに限る必要はなく、要は、Ｒ，Ｇ，Ｂ信号Ｒ２，Ｇ２，Ｂ２と同じｋビット幅であり、その上位ｎビット部分はＲ，Ｇ，Ｂ信号の上位ｎビットと同じ値となっており、下位（ｋ−ｎ）ビット部分は値０となったデータをオフデータとして生成できるものであれば、どのような構成であってもよい。換言すれば、オフデータ生成回路は、３Ｄ−ＬＵＴを仮に入力と出力が同一となるようにメモリ内容を書き換えたとして、その書き換えた３Ｄ−ＬＵＴと同様な出力が得られる構成であれば、どのような構成とすることもできる。
【００４８】
（３）変形例３：
上記実施例において、カラー画像を表わす３つの色信号は、Ｒ，Ｇ、Ｂ信号であったが、これに換えて、輝度（Ｙ）を表す輝度信号（Ｙ信号）と、Ｂ信号からＹ信号を差し引いた色差（Ｕ）を表す第１の色差信号（Ｕ信号）と、Ｒ信号からＹ信号を差し引いた色差（Ｖ）を表す第２の色差信号（Ｖ信号）とにすることができる。この場合には、色補正回路１００の前段にＲ，Ｇ，Ｂ信号をＹ，Ｕ，Ｖ信号に変換するＹＵＶ変換回路を設け、色補正回路１００の後段にＹ，Ｕ，Ｖ信号をＲ，Ｇ，Ｂ信号に変換するＲＧＢ変換回路部を設ける構成とすればよい。またこの構成に限定されるものではなく、例えば、液晶プロジェクタ５００に入力される画像信号がＹ，Ｕ，Ｖ信号の形式である場合には、入力信号処理回路２００から出力される画像信号をＹ，Ｕ，Ｖ信号とすれば、必ずしもＹＵＶ変換回路を備える必要はない。また、Ｒ，Ｇ，Ｂ用の液晶パネル４１０〜４３０が、Ｙ，Ｕ，Ｖ信号を入力可能な構成であるならば、必ずしもＲＧＢ変換回路を備える必要もない。
【００４９】
（４）変形例４：
前記実施例におけるＲ，Ｇ，Ｂ信号Ｒ２，Ｇ２，Ｂ２と、Ｒ，Ｇ，Ｂ信号Ｒ２，Ｇ２，Ｂ２の上位ビット部分および下位ビット部分と、オフデータＯｒ，Ｏｇ，Ｏｂとのそれぞれのビット数は前記実施例の例と違ったもの換えることができる。実施例で説明したビット幅に関する各条件を満たすものであれば、どのようにあビット数に換えることもできる。
【００５０】
（５）変形例５：
上記実施例では、本発明の色補正回路が適用される液晶プロジェクタを例に説明しているが、これに限定されるものではなく、種々の画像表示装置においても適用することが可能である。
【図面の簡単な説明】
【００５１】
【図１】本発明の一実施例としての色補正回路が適用される液晶プロジェクタ５００の概略的な構成を示すブロック図である。
【図２】色補正回路１００を具体的に示すブロック図である。
【図３】オフデータ生成回路１２０により生成されるオフデータＯｒの一例を示す説明図である。
【図４】色補正回路の機能をオフする仕組みを搭載した従来例としての第１参考例を示す説明図である。
【図５】色補正回路の機能をオフする仕組みを搭載した従来例としての第２参考例を示す説明図である。
【符号の説明】
【００５２】
５００…液晶プロジェクタ
１００…色補正回路
１１０…３次元ルックアップテーブル（３Ｄ−ＬＵＴ）
１２０…オフデータ生成回路
１３０…画像信号切換回路
１４０…補間演算回路
２００…入力信号処理回路
３１０〜３３０…ＶＴ特性補正回路
４１０〜４３０…液晶パネル（ＬＣＤ）
【図１】
0004479683.tif 000002
【図２】
0004479683.tif 000003
【図３】
0004479683.tif 000004
【図４】
0004479683.tif 000005
【図５】
0004479683.tif 000006